(57)【要約】      （修正有）【課題】ゴルフコースの保守者１人が持ち運びを容易に出来て、ゴルフコースに着地させることを要せず、ドライスポットに的確に散水を可能として、散水がドライスポット点の土に十分に吸水することが出来るゴルフコース用散水装置を提供する。【解決手段】２箇所の３方向分岐具３、４に接続され、水搬送管１０を流過する水を分岐して再び水搬送管に戻し、途中にインジェクター７を備えたバイパス管と、バイパス管の一部に、先端に浸透剤容器１３が接続される接続具を備え、途中に浸透剤の流量を計測する浸透剤流量計１５を備えた浸透剤投入管１２と、を備えて、ゴルフコースに着地させることを要せず携帯すること可能にする。【選択図】図１
0003199346.tif 000002
【実用新案登録請求の範囲】
【請求項１】
ゴルフ場のサンドグリーンに発生したドライスポットに浸透液と水とを交互に散布するゴルフコース用散水装置において、
散布水源の水を吸い込み、圧力をかけて送出する動力源から送出された圧力水を流過させ、先端に散水ノズルを、途中の経路の２箇所の３方向分岐具を、および各３方向分器具の上流側に水の流れを阻止可能な制御弁を持つ水搬送管と、
２箇所の３方向分岐具に接続され、水搬送管を流過する水を分岐して再び水搬送管に戻し、途中にインジェクターを備えたバイパス管と、
バイパス管の一部に、先端に浸透剤容器が接続される接続具を備え、途中に浸透剤の流量を計測する浸透剤流量計を備えた浸透剤投入管と、を備えて、ゴルフコースに着地させる着地させることを要せず携帯が可能で、
２つの制御弁が制御されて、水搬送管に送出された流過水をバイパス管にバイパスさせ、インジェクターが吸引した浸透剤をバイパスした流過水に混入させ、散水ノズルから希釈された浸透剤をドライスポットに散布させ、次いでバイパス管への水の流れが止められて、水搬送管からの水がドライスポットに散水されること
を特徴とするゴルフコース用散水装置。
【考案の詳細な説明】
【技術分野】
【０００１】
本考案は、ゴルフコース用散水装置に関する。
【背景技術】
【０００２】
最近のゴルフ場のグリーンは、土ではなく砂で作られており、一般にサンドグリーンと呼ばれている。その砂の粒子が有機物にコーテイングされた土壌（砂の部分）が撥水性を生じて部分的に乾燥して水単位では浸み込まず、最悪の場合に乾燥で芝が枯れてしまう現象が生じている。このドライスポットを消滅させるために、散水に工夫がなされて来た。
【０００３】
特許文献１には、散水装置に、薬剤を貯留する薬剤タンクと、水と薬剤を混合希釈した希釈薬剤を貯留する希釈薬剤タンクとを備え、希釈薬剤を散水ノズルで散布することが記載されている。
【０００４】
特許文献２には、水を吸水してゲル化した保水性ポリマーを袋詰した保水性ポリマーを収納筒にセットし、手動ハンドルを操作して保水性ポリマーを吐出口から押出し、ノズルから噴出させるようにした保水性ポリマー加圧注入装置が記載されている。
【先行技術文献】
【特許文献】
【０００５】
【特許文献１】特開２０１１−２２９４９９号公報
【特許文献２】特開２００２−２８１８２１号公報
【考案の概要】
【考案が解決しようとする課題】
【０００６】
上述したように、ドライスポットを消滅させるためにスプリンクラー等によって散水がなされる。散水単独で水やりをしてもドライスポットに吸引される水は限られるか、あるいは全くと言っていいほどにドライスポットには水は吸引されず、ドライスポット修繕に時間を要している。
【０００７】
特許文献１に記載された散水装置に使用される薬剤に添着剤・固形剤を含有させることが記載されているが、熱交換器を備えて節水させることによる散水装置であり、ゴルフコースに生じたドライスポットに有効に使用されるものではない。
【０００８】
特許文献２に記載された装置は、ドライスポットになった部分の地中に保水性ポリマーを圧入してゲル化した保水性ポリマーから徐々に放水するものであり、ドライスポット対策として有効なものと思われるが、ゲル化するために高分子系のポリマーを使用するものであるので価格が高いものとなることが避けられない。また、ノズルをドライスポットに圧入するといったドライスポットを更に傷つけることがなされるという問題がある。またドライポットに十分に水を与えることについても問題がある。
【０００９】
本考案は、かかる点に鑑みゴルフコースの保守者１人が持ち運びを容易に出来て、ゴルフコースに着地させることを要せず、ドライスポットに的確に十分に散水を可能して、散水がドライスポット点の土に十分に吸水することが出来、価格が高くなることなく、またドライスポットに更なる傷を付けることのないゴルフコース用水散布装置を提供することを目的とする。
【課題を解決するための手段】
【００１０】
本考案は、ゴルフ場のサンドグリーンに生じたドライスポットに水を浸透させるゴルフコース用散水装置において、
散布水源の水を吸い込み、圧力をかけて送出する動力源から送出された圧力水を流過させ、先端に散水ノズルを、途中の経路の２箇所に３方向分岐具を、および各３方向分器具の上流側に水の流れを阻止可能な制御弁を持つ水搬送管と、
２箇所の３方向分岐具に接続され、水搬送管を流過する水を分岐して再び水搬送管に戻し、途中にインジェクターを備えたバイパス管と、
バイパス管の一部に、先端に浸透剤容器が接続される接続具を備え、途中に浸透剤の流量を計測する浸透剤流量計を備えた浸透剤投入管と、を備えて、ゴルフコースに着地させる着地させることを要せず携帯が可能で、
２つの制御弁が制御されて、水搬送管に送出された流過水をバイパス管にバイパスさせ、インジェクターが吸引した浸透剤をバイパスした流過水に混入させ、散水ノズルから希釈された浸透剤をドライスポットに散布させ、次いでバイパス管への水の流れが止められて、水搬送管からの水がドライスポットに散水されること
を特徴とするゴルフコース用散水装置を提供する。
【考案の効果】
【００１１】
本考案によれば、２つの制御弁が制御されて、水搬送管に送出された流過水をバイパス管にバイパスさせ、インジェクターが吸引した浸透剤をバイパスした流過水に混入させ、散水ノズルから希釈された浸透剤をドライスポットに散布させ、次いでバイパス管への流過水にバイパスが止められて、水搬送管からの流過水を、浸透剤が散布されたドライスポット上への散水を可能とすることがなされ、ゴルフコースの保守者１人が持ち運びを容易に出来て、ゴルフコースに着地させることを要せず、ドライスポットに的確に散水を可能して、散水がドライスポット点の土に十分に吸水することが出来、価格が高くなることなく、またドライスポットに傷を付けることのないゴルフコース用散水装置を提供することが出来る。
【図面の簡単な説明】
【００１２】
【図１】本考案の実施例の構成形態を示す図。
【考案を実施するための形態】
【００１３】
図１は、本考案の実施例の構成形態を示す図である。
【００１４】
図１において、本考案の実施例であるゴルフコース用散水装置１００は、ゴルフ場のサンドグリーンの砂粒子が有機物にコーテイングされ、土壌が撥水性を生じて発生するドライスポット部分に浸透剤と水を交互に散布するゴルフコース用水散布装置である。ゴルフコース用散水装置１００は、
散布水源（図示せず）の水を吸い込み、圧力をかけて送出する動力源（図示せず）と、
動力源から送出された圧力水を流過させ、先端に散水ノズル１を、途中の経路２の２箇所に３方向分岐具としてチーズ３、４を、および各３方向分器具３，４の上流側に水の流れを阻止可能な制御弁としてのボールバルブ５，６を持つ水搬送管１０と、
２箇所の３方向分岐具としてチーズ３、４に接続され、水搬送管１０を流過する水を分岐して再び水搬送管１０に戻し、途中にインジェクター（混入器）７を備えたバイパス管１１と、
バイパス管１１の一部に、先端に浸透剤容器１３が接続される接続具１４を備え、途中の経路に浸透剤の流量を計測する浸透剤流量計１５を備えた浸透剤投入管１２と、を備えて構成される。
【００１５】
動力源は、散布水源から水を吸い込み、導出させる機能を有すれば足り、小形の装置が採用される。
【００１６】
水搬送管１０は、上流側の動力源から下流側の散水ノズル１に向けて、動力源に接続された動力源側ホース３１、このホース３１に取り付けられるプラグカプラー３２、ワンタッチカプラー３３、異径金具３４、ボールバルブ５、ニップル３５、カップラー・メス３６、ニップル３７、チーズ３、ニップル３８、チーズ３９、ニップル４２、カップラー・メス４３、ボールバルブ６、ニップル４５、チーズ４、ニップル４６、減径ブッシング４７が一方向に連続して接続される。
【００１７】
チーズ３９は、３方向分岐具であり、ニップル４１，４２に接続された以外の分岐口にプラグ４１、さらにプラグ４１に圧力計４０が接続される。
【００１８】
バイパス管１１は、チーズ３に接続される口からチーズ４に接続される口に向けて、ニップル５１、エルボ５２、インジェクター部品５３、インジェクター７、エルボ５４、ニップル５５が一方向に連続して接続される。
【００１９】
浸透剤容器１３からインジェクター７の接続口であるＰＴ６8に向けて、取り付け口６２、ビニールホース６１、ワンタッチカプラー６３、ＰＴ６４，ＰＴ６５、流量計１５、ＰＴ６6、異径金具６７、が一方向に連続して接続される。
【００２０】
各備品のサイズが各部品に関連して記載してある。
【００２１】
このようにして形成されたゴルフ用散水装置１００は、軽量であり、ゴルフコース保守者ひとりで肩に掛けるなどして浸透剤容器と共に軽々に持ち運びが出来、散水する時にもゴルフ用散水装置１００をゴルフコースに載置されることがない。したがって、ドライスポットを傷つけることなく迅速に散水行為を行うことが出来る。
【００２２】
圧力計４０は、経路２の圧力を計測する。計測された圧力は、ボールバルブ５，６の制御に活かされる。ゴルフコースを管理する保守人は、ゴルフ用散水装置１００を保持し、浸透剤容器１３を保持しながらボールバルブ５、６を制御することで水搬送管１０、バイパス管１１を流れる水量を変えて、希釈された浸透剤の量をコントロールすることが出来る。
【００２３】
流量計１５は、浸透剤の流量を計測する。流量計としては市販されている流量計を採用することが出来る。実公平６−１７０７９には、流体検視器の構造が記載されている。ボールの高さ位置で流量を計測することができる。このような形態になる流量計を適宜採用すればよい。
【００２４】
水搬送管１０、すなわち経路２には、動力源から送出された圧力水が流過される。動力源から送出された水を散水ノズル１から散布する前に希釈された浸透剤を散布することを行う。
【００２５】
この希釈浸透剤の散布について説明する。
【００２６】
浸透剤として、非イオン界面活性剤又は/および両性界面活性剤が用いられる。
【００２７】
非イオン界面活性剤としては、ポリオキシアルキレンアルキルエーテル、ポリオキシアンアルケニルエーテル、ポリオキシアンアルキレンソルビタン脂肪酸エステル、ポリオキシアンアルキレンソルビット脂肪酸エステル、アルキルポリグリコシド、ショ糖脂肪酸エステルおよびアルキルポリグリセリンエーテルから選ばれる一種以上のものを使用することが出来る。
【００２８】
また両性界面活性剤としては、アルキルジメチルアミノ脂肪酸ベタイン等のもの長鎖アルキルジ短鎖アルキルアミノ脂肪酸ベタイン、アルキルジメチルアミンオキサイド等のモノ長鎖アルキルジ短鎖アルキルアミンオキサイドおよびアルキルカルボキシメチルヒドロキシエチルイミダゾリウムベタインから選ばれる一種以上のものを使用することが出来る。
【００２９】
非イオン界面活性剤および両性界面活性剤から一種又は二種以上を組み合わせて用いることが出来る。
【００３０】
浸透剤としての非イオン界面活性剤および両性界面活性剤は、市販製のものが多数ある。
【００３１】
インジェクター７は、それ自体構成はよく知られており、中央を流れる水は周囲の流体圧を低圧にして水を吸引する機能があり、パイパス管１１に水を流過させることで、浸透剤投入管１２から浸透剤を吸引して、流過する水に浸透剤を混入させる。この場合に、希釈度は２５０〜１０００倍が選択される。考案者等の経験によれば、４００〜５００倍に希釈することが勧められる。したがってここでいうインジェクターとは、中央を流れる水は周囲の流体圧を低圧にして水を吸引する機能があり、パイパス管１１に水を流過させることで、浸透剤投入管１２から浸透剤を吸引して、流過する水に浸透剤を混入させる機能を有するものを指す。
【００３２】
希釈浸透剤は、バイパス管１１および経路２を介して散水ノズル１に導かれてドライスポットに向けて散水される。したがって、ドライスポットに向けての散水のステップは、
ステップ１：制御弁を制御して、４００〜５００倍に希釈された希釈浸透剤を散水ノズルから散布する。ステップ１で、本格的な散水によるドライスポットでの吸水の準備を行う。
【００３３】
ステップ２：制御弁を制御切り換えして、希釈浸透剤が散布された箇所に水搬送管１０を流過した水を散水ノズルから散水する。十分に吸水させる。
【００３４】
ステップ３：ドライスポットに対する散水が十分になされたと判断された時には制御弁が制御され、水の散布が停止されてステップ１へ切り換えることが準備されることになる。
【００３５】
このように、２つの制御弁が制御されて、３つのステップが実行され、水搬送管に送
出された流過水をバイパス管にバイパスさせ、インジェクターが吸引した浸透剤をバイ
パスした流過水に混入させ、散水ノズルから希釈された浸透剤をドライスポットに散布
させ、次いでバイパス管への流過水にバイパスが止められて、水搬送管からの流過水を、
浸透剤が散布されたドライスポット上への散水することがなされることになる。
【００３６】
したがって、ゴルフ場のサンドグリーンに生じたドライスポットに浸透液と水とを交互に散布するゴルフコース用散水装置を用いた散水方法において、
散布水源の水を吸い込み、圧力をかけて送出する動力源から送出された圧力水を流過させ、先端に散水ノズルを、途中の経路の２箇所の３方向分岐具を、および各３方向分器具の上流側に水の流れを阻止可能な制御弁を持つ水搬送管を流過させ、
２箇所の３方向分岐具に接続され、水搬送管を流過する水を分岐して再び水搬送管に戻し、途中にインジェクターを備えたバイパス管を流過させ、
バイパス管の一部に、先端に浸透剤容器が接続される接続口を備え、途中に浸透剤の流量を計測する浸透剤流量計を備えた浸透剤投入管を流過させるステップを備えて、ゴルフコースに着地させる着地させることを要せず携帯が可能で、
２つの制御弁が制御されて、水搬送管に送出された流過水をバイパス管にバイパスさせ、インジェクターが吸引した浸透剤をバイパスした流過水に混入させ、散水ノズルから希釈された浸透剤をドライスポットに散布させ、次いでバイパス管への流過水にバイパスが止められて、水搬送管からの流過水を、浸透剤が散布されたドライスポット上への散
水を可能とすることを特徴とするゴルフコース用散水装置を用いたゴルフコース用散水方法が提供される。
【００３７】
この実施例によれば、２つの制御弁が制御されて、水搬送管に送出された流過水をバ
イパス管にバイパスさせ、インジェクターが吸引した浸透剤をバイパスした流過水に混
入させ、散水ノズルから希釈された浸透剤をドライスポットに散布させ、次いでバイパ
ス管への流過水にバイパスが止められて、水搬送管からの流過水を、浸透剤が散布され
たドライスポット上への散水を可能とすることがなされ、ゴルフコースの保守者１人が、
図１に示されるゴルフコース用散水装置の持ち運びを容易に出来て、ゴルフコースに載置させることを要せず、ドライスポットに的確に散水を可能して、散水がドライスポット点の土に十分に吸水することが出来、価格が高くなることなく、またドライスポットに更なる傷を付けることのないゴルフコース用散水装置およびこの装置を用いてのゴルフコース用散水方法を提供することが出来る。ゴルフコース用散水装置およびこの装置を用いてのゴルフコース用散水方法は、グリーンあるいはグリーンの周囲におけるドライスポットに適用されて効果を発揮するが、これらに限定されず、フエアウエア上におけるドライスポットについても適用することが出来る。
【符号の説明】
【００３８】
１…散水ノズル、２経路、３、４…チーズ（３方向分岐具）、５、６…ボールバルブ
（制御弁）、７…インジェクター（混入器）、１０…水搬送管、１１…バイパス管、１２…浸透剤投入管、１３…浸透剤容器、１４…接続具、１００…ゴルフコース用散水装
置。
【図１】
0003199346.tif 000003
【手続補正書】
【提出日】平成27年6月10日(2015.6.10)
【手続補正１】
【補正対象書類名】実用新案登録請求の範囲
【補正対象項目名】全文
【補正方法】変更
【補正の内容】
【実用新案登録請求の範囲】
【請求項１】
ゴルフ場のサンドグリーンに発生したドライスポットに浸透液と水とを交互に散布するゴルフコース用散水装置において、
散布水源の水を吸い込み、圧力をかけて送出する動力源から送出された圧力水を流過させ、先端に散水ノズルを、途中の経路の２箇所の３方向分岐具を、および各３方向分器具の上流側に水の流れを阻止可能な制御弁を持つ水搬送管と、
２箇所の３方向分岐具に接続され、水搬送管を流過する水を分岐して再び水搬送管に戻し、途中にインジェクターを備えたバイパス管と、
バイパス管の一部に、先端に浸透剤容器が接続される接続具を備え、途中に浸透剤の流量を計測する浸透剤流量計を備えた浸透剤投入管と、を備えて、ゴルフコースに着地させることを要せず携帯が可能で、
２つの制御弁が制御されて、水搬送管に送出された流過水をバイパス管にバイパスさせ、インジェクターが吸引した浸透剤をバイパスした流過水に混入させ、散水ノズルから希釈された浸透剤をドライスポットに散布させ、次いでバイパス管への水の流れが止められて、水搬送管からの水がドライスポットに散水されること
を特徴とするゴルフコース用散水装置。